(57)【要約】【課題】ＰＤＰとしての通常の画像表示が可能であると同時に、非発光時には、前面側から後面側が透けて見えるＰＤＰを実現する。【解決手段】複数の表示電極３、４を配置した前面基板１と、データ電極８を配置した背面基板２とを、放電空間が形成されるように対向配置してＰＤＰが構成されている。  表示電極３、４とデータ電極８とが交差する部分に放電セルが形成され、各放電セルにおいて、背面基板２側に蛍光体層１０が形成されている。蛍光体層１０には開口部１０ａが形成され、前面側からこの開口部１０ａを通して、背面側が透けて見える。【選択図】図１
2011228166.tif 000002
【特許請求の範囲】
【請求項１】
複数の表示電極を配置した前面基板と、前記表示電極に交差するようにデータ電極を配置した背面基板とを、間に放電空間が形成されるように対向配置したプラズマディスプレイパネルであって、
前記表示電極と前記データ電極とが交差する部分に放電セルが形成され、
各放電セルにおいて、前記背面基板側に開口部を有する蛍光体層が設けられている、
プラズマディスプレイパネル。
【請求項２】
前記背面基板には、隣り合う放電セルを仕切る隔壁が形成され、
前記蛍光体層は、前記開口部を取り囲むように前記隔壁の側面上に形成されている請求項１記載のプラズマディスプレイパネル。
【請求項３】
請求項１または２記載のプラズマディスプレイパネルと、
当該プラズマディスプレイパネルを駆動する駆動回路とを備えた画像表示装置。
【発明の詳細な説明】
【技術分野】
【０００１】
本発明は、プラズマディスプレイパネル（以下、ＰＤＰともいう）、およびそれを用いた画像表示装置に関するものであり、特に透明ディスプレイに関する。
【背景技術】
【０００２】
ＰＤＰには、大別して、駆動的にはＡＣ型とＤＣ型があり、放電形式では面放電型と対向放電型の２種類があるが、高精細化、大画面化および製造の簡便性から、現状では３電極構造の面放電型のものが主流である。
【０００３】
この面放電型のＰＤＰの構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
上述のＰＤＰは、アルミニウムなどの金属製のシャーシ部材の前面側に保持され、そのシャーシ部材の背面側には、ＰＤＰを発光させるための駆動回路を構成する回路基板を配置することにより、画像表示装置が構成されている（特許文献１参照）。
【先行技術文献】
【特許文献】
【０００６】
【特許文献１】特開２００３−１３１５８０号公報
【発明の概要】
【発明が解決しようとする課題】
【０００７】
ところで、このようなＰＤＰに対して、近年、多様な形態の画像の表示の要望があり、その一つとして、ＰＤＰの非発光時に前面側から見てＰＤＰの背面側が透けて見えるという、いわゆる透明ディスプレイがある。しかしながら、ＰＤＰとして通常の画像表示が可能で且つ背面側が透けて見える透明ディスプレイはまだ実現されていないのが実状である。
【０００８】
本発明はこのような現状に鑑みなされたもので、ＰＤＰとしての通常の画像表示が可能であると同時に、非発光時には、前面側から見て背面側が透けて見えるＰＤＰ、およびそれを用いた画像表示装置を提供することを目的とする。
【課題を解決するための手段】
【０００９】
上記目的を実現するために、本発明にかかるＰＤＰは、複数の表示電極を配置した前面基板と前記表示電極に交差するようにデータ電極を配置した背面基板とを間に放電空間が形成されるように対向配置したＰＤＰであって、前記表示電極と前記データ電極とが交差する部分に放電セルが形成され、各放電セルにおいて、前記背面基板側に開口部を有する蛍光体層が設けられているものである。
【００１０】
ここで、背面基板に、隣り合う放電セルを仕切る隔壁を形成し、蛍光体層を、開口部を取り囲むように隔壁の側面上に形成することが好ましい。
また、本発明にかかる画像表示装置は、上記ＰＤＰと、このＰＤＰを駆動する駆動回路とを備えている。
【発明の効果】
【００１１】
本発明によれば、発光時には、表示電極及びデータ電極に電圧を印加して各放電セルで放電し、蛍光体層で可視光を発光することにより、ＰＤＰとしての通常の画像表示が可能である。それと共に、各放電セルでは、背面基板側に設けられている蛍光体層が開口部を有し、この開口部を可視光が通過できるので、非発光時において、前面側から見てＰＤＰの背面側が透けて見える透明ディスプレイを実現できる。
【００１２】
これによって、多様な形態の画像表示を実現することができる。
上記のような開口部を有する蛍光体層は、背面基板上の隔壁どうしの間に、隔壁と間隙をおいて樹脂層を形成し、当該樹脂層と隔壁との間隙に蛍光体層を形成した後、樹脂層を除去することによって形成することができる。
【図面の簡単な説明】
【００１３】
【図１】本発明の実施の形態にかかるＰＤＰの概略構成を示す要部断面斜視図である。
【図２】本発明の実施の形態にかかるＰＤＰの電極配列図である。
【図３】本発明の実施の形態にかかるＰＤＰを用いた表示装置の回路ブロック図である。
【図４】本発明の実施の形態にかかるＰＤＰの各電極に印加する駆動電圧波形を示す図である。
【図５】本発明の実施の形態にかかるＰＤＰを用いた表示装置の全体構成を示す図である。
【図６】本発明の実施の形態にかかるＰＤＰにおける蛍光体層の形態を示す図である。
【図７】本発明の一実施の形態にかかるＰＤＰの製造方法を説明する図である。
【図８】本発明の実施の形態にかかるＰＤＰの要部平面図である。
【発明を実施するための形態】
【００１４】
以下、本発明の一実施の形態にかかるＰＤＰについて、図を用いて説明するが、本発明の実施の態様はこれに限定されるものではない。
まず、ＰＤＰの構造について図を用いて説明する。
【００１５】
図１に示すように、ＰＤＰ１１は、透明なガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１６】
また、背面基板２上には絶縁体層７で覆われた複数のデータ電極８が設けられ、その絶縁体層７上には井桁状の隔壁９が設けられている。
そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。
【００１７】
ここで、走査電極３および維持電極４とデータ電極８とが交差する部分に放電セルが形成され、各放電セルにおいては、背面基板２側、すなわち上記構成では絶縁体層７上に開口部１０ａを有する形態で蛍光体層１０が設けられている。
【００１８】
なお、ＰＤＰの構造は上述したものに限られることはなく、例えば隔壁９がストライプ状であってもよい。
図２はこのＰＤＰ１１の電極配列図である。行方向にｎ本の走査電極ＳＣ１〜ＳＣｎ（図１の走査電極３）およびｎ本の維持電極ＳＵ１〜ＳＵｎ（図１の維持電極４）が配列され、列方向にｍ本のデータ電極Ｄ１〜Ｄｍ（図１のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１９】
図３は、このＰＤＰ１１を用いた表示装置であるプラズマディスプレイ装置の回路ブロック図である。このプラズマディスプレイ装置は、ＰＤＰ１１、画像信号処理回路１２、データ電極駆動回路１３、走査電極駆動回路１４、維持電極駆動回路１５、タイミング発生回路１６および電源回路（図示せず）を備えている。
【００２０】
画像信号処理回路１２は、画像信号ｓｉｇをサブフィールド毎の画像データに変換する。データ電極駆動回路１３はサブフィールド毎の画像データを各データ電極Ｄ１〜Ｄｍに対応する信号に変換し、各データ電極Ｄ１〜Ｄｍを駆動する。タイミング発生回路１６は水平同期信号Ｈおよび垂直同期信号Ｖをもとにして各種のタイミング信号を発生し、各駆動回路ブロックに供給している。走査電極駆動回路１４はタイミング信号にもとづいて走査電極ＳＣ１〜ＳＣｎに駆動電圧波形を供給し、維持電極駆動回路１５はタイミング信号にもとづいて維持電極ＳＵ１〜ＳＵｎに駆動電圧波形を供給する。ここで、前記走査電極駆動回路１４および維持電極駆動回路１５は、維持パルス発生部１７を備えている。
【００２１】
次に、ＰＤＰ１１を駆動するための駆動電圧波形とその動作について、図４を用いて説明する。図４はＰＤＰ１１の各電極に印加する駆動電圧波形を示す図である。
本実施の形態によるプラズマディスプレイ装置においては、１フィールドを複数のサブフィールドに分割し、それぞれのサブフィールドは初期化期間、書込み期間、維持期間を有している。
【００２２】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２３】
その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００２４】
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００２５】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２６】
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００２７】
書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２８】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００２９】
続くサブフィールドにおける初期化期間、書込み期間、維持期間の動作も第１サブフィールドにおける動作とほぼ同様のため、説明を省略する。
図５に、上で説明した構造のＰＤＰを用いたプラズマディスプレイ装置の全体構成の一例を示す。
【００３０】
シャーシ部材２１は、ＰＤＰ１１の画像表示部に応じた部分に開口を備える枠体構造であって、アルミニウムなど金属製であって、このシャーシ部材２１の前面側にＰＤＰ１１が保持されている。
シャーシ部材２１がＰＤＰ１１を保持する機構としては、例えば、シート状の接着部材によって保持してもよいし、適当な部材との組み合わせによるねじ止めによって保持してもよい。
【００３１】
また、ＰＤＰ１１を駆動する際に発生する熱をシャーシ部材２１に効率よく伝え、放熱を行うために、ＰＤＰ１１とシャーシ部材２１との間に放熱シートを介在させることが好ましい。
【００３２】
この放熱シートとしては、例えば厚さは１ｍｍ〜２ｍｍ程度の、アクリルやウレタン、シリコン樹脂やゴムなどの合成樹脂材料に熱伝導性を高めるフィラーを含有させた絶縁性の放熱シートや、グラファイトシート、金属シートなどを用いることができる。また、放熱シート自体に接着力を持たせることによって前述した接着部材とし、ＰＤＰ１１をシャーシ部材２１に接着して保持する構成としても良く、また、放熱シートには接着力がなく、別途、両面接着テープ等を用いてＰＤＰ１１をシャーシ部材２１に接着する構成としても良い。
【００３３】
また、ＰＤＰ１１の全面での放熱性を高めるため、ＰＤＰ１１での発熱をシャーシ部材２１に迅速に伝導させる目的で、ＰＤＰ１１の背面基板２の、シャーシ部材２１との接触面、もしくはシャーシ部材２１との間に介在する放熱シートとの接触面側に良熱伝導性の膜を形成する、もしくは良熱伝導性のシートを貼り付けるという構造とすることもできる。この場合、良熱伝導性の膜やシートに透明度が必要となるが、例えば、良電気伝導性の透明膜であるＩＴＯなどを形成することで可能となる。
【００３４】
また、ＰＤＰ１１の両側縁部には、走査電極３および維持電極４の電極引出部に接続された表示電極用配線部材としてのフレキシブル配線板２２が設けられ、シャーシ部材２１の外周部を通して背面側に引き回され、走査電極駆動回路１４の駆動回路ブロック（図示せず）および維持電極駆動回路１５の駆動回路ブロック（図示せず）にコネクタを介して接続されている。
【００３５】
一方、ＰＤＰ１１の下部および／または上部縁部には、データ電極８の電極引出部に接続されたデータ電極用配線部材としての複数のフレキシブル配線板２５が設けられ、そしてそのフレキシブル配線板２５は、データ電極駆動回路１３の複数のデータドライバ（図示せず）それぞれに電気的に接続されるとともに、シャーシ部材２１の外周部を通して背面側に引き回され、データ電極駆動回路１３の駆動回路ブロック（図示せず）に電気的に接続されている。
【００３６】
また、プラズマディスプレイ装置は、図示しないが、制御回路ブロックを備え、テレビジョンチューナ等の外部機器に接続するための接続ケーブルが着脱可能に接続される入力端子部を備えた入力信号回路ブロックから送られる映像信号に基づき、画像データをＰＤＰ１１の画素数に応じた画像データ信号に変換してデータ電極駆動回路１３の駆動回路ブロックに供給すると共に、放電制御タイミング信号を発生し、各々走査電極駆動回路１４の駆動回路ブロックおよび維持電極駆動回路１５の駆動回路ブロックに供給し、階調制御等の表示駆動制御を行う。さらに、各回路ブロックに電圧を供給するための電源ブロックも備え、電源ケーブルが装着されるコネクタを通して商用電源電圧が供給される。
【００３７】
なお、上述の駆動回路ブロック（図示せず）、制御回路ブロック（図示せず）、入力信号回路ブロック（図示せず）、電源ブロック（図示せず）の設置に際しては、例えば、シャーシ部材２１の枠部分にボス部にビスなどで固定する構造や、別途、別ユニットとして設置する構成とすれば良い。
【００３８】
また、シャーシ部材２１の枠体部分には、装置を立てた状態で保持するためのスタンドポール３６が固定される構造を備えても良い。
以上のような構造のモジュールは、ＰＤＰ１１の前面側に配置される前面保護カバー３７と、シャーシ部材２１の背面側に配置されるバックカバー３８とを有する筐体内に収容され、これによりプラズマディスプレイ装置が完成する。
【００３９】
前面保護カバー３７は、ＰＤＰ１１の前面側の画像表示領域が表出する開口部３９ａを有する樹脂や金属からなる前面枠３９と、この前面枠３９の開口部３９ａに取付けられかつ光学フィルターや電磁波の不要輻射を抑制するための不要輻射抑制膜が設けられたガラスなどからなる保護板４０とを備えた構成であり、この保護板４０は、保護板４０の周辺部を前面枠３９の開口部３９ａの周縁部と保護板押え金具（図示せず）とで挟むことにより、前面枠３９に取り付けられている。バックカバー３８には、ＰＤＰ１１の画像表示部に応じる部分に開口が形成されている。さらに、バックカバー３８には、モジュールで発生した熱を外部に放出するための複数の通気孔（図示せず）が設けられている。
[蛍光体層の形態]
上述したように、ＰＤＰ１１において、背面基板２側（上述した構成では絶縁体層７）の表面の一部および隔壁９の側面の一部には蛍光体層１０が設けられている。
【００４０】
この蛍光体層１０が形成されている状態を模式的に図６に示す。
図６（ａ）は平面図であり、図６（ｂ）は図６（ａ）中のＸ−Ｘ矢視断面図である。図６に示すように、蛍光体層１０は、絶縁体層７の表面の一部には形成されておらず、蛍光体層１０に開口部１０ａが形成されている。すなわち、蛍光体層１０を貫通するように開口部１０ａが形成されている。
【００４１】
このように蛍光体層１０は、開口部１０ａを有する形態で形成されているので、駆動時には蛍光体層１０からの発光により画像表示を行うことができ、また非駆動時にはＰＤＰ１１を挟んだ前後が開口部１０ａを通して透けて見える。
【００４２】
従って、いわゆるシースルー（see-through）ディスプレイ、透明ディスプレイを実現することができる。
蛍光体層１０は図６に示すように隔壁９の側面に沿って、開口部１０ａを取り囲むように形成することが、駆動時に発光効率を確保する上で好ましい。
【００４３】
すなわち、開口部１０ａの内壁面は、図６（ｂ）に示すようにほぼ隔壁９の側面に沿った形状とすることが好ましく、開口部１０ａの平面形状も、図６（ａ）に示すように、セルの形成と同様の形状（図６では縦長形状）とすることが好ましい。
【００４４】
ただし、開口部１０ａの形状は、これに拘束されることなく、任意の形状に設定することができる。
開口部１０ａの面積は、小さいほど、ＰＤＰにおける可視光透過性が低下するので、隔壁９で囲まれたセルの面積に対して２５〜７５％の範囲に設定することが好ましい。１つのセルに形成する開口部１０ａの個数についても２個以上にしてもよい。
【００４５】
また、開口部１０ａを形成する位置については、縦方向・横方向のいずれも、図６に示すように、隣合う隔壁９間の中央部分（放電セルの中央部分）に形成することが、良好な発光特性と透過性を得る上で好ましいが、隔壁９間の中央部からずれた位置に形成してもよい。
[蛍光体層の形成方法]
以下に、背面基板２側（上述した構成では絶縁体層７）の表面に、図６に示すように開口部１０ａを備えた形態で蛍光体層１０を形成する方法について説明する。
【００４６】
図７は、実施の形態にかかるＰＤＰ１１の製造方法において、蛍光体層１０の形成方法の一例を示す流れ図である。
背面基板２上に銀ペーストを塗布・焼成してデータ電極８を形成しそれを覆うように絶縁体層７を形成した後に、図７（ａ）に示すように、絶縁体層７上に、ガラスペーストを所定のピッチで塗布し焼成することによって隔壁９を形成する。
【００４７】
焼成にて除去可能な樹脂成分ペーストを用いて、図７（ｂ）・（ｃ）に示すように、隔壁９を覆うように樹脂成分ペースト５０を塗布し、乾燥する。塗布した樹脂成分ペーストは、乾燥によって収縮して樹脂層５１が形成される。樹脂成分ペースト５０の塗布量については、図７（ｃ）に示すように、乾燥後における樹脂層５１の高さが、隔壁９の高さと同等となるように設定する。
【００４８】
図７（ｄ）に示すように、樹脂層５１の上に、ＤＦＲ（ドライフィルムレジスト）５２をラミネートする。
図７（ｅ）に示すように、隣り合う隔壁９間の中央部だけにＤＦＲ５２が残るように、ＤＦＲ５２をパターニングする。
【００４９】
図７（ｆ）に示すように、樹脂層５１において、ＤＦＲ５２で被覆されていない部分を除去する。この樹脂層５１の部分除去は、パターニングされたＤＦＲ５２上からフォト照射あるいはブラスト処理することによって行うことができる。図７（ｇ）に示すようにＤＦＲ５２を剥離する。
【００５０】
図７（ｈ）に示すように、隔壁９と樹脂層５１との間に蛍光体ペースト１０ｂを充填する。そして、樹脂層５１が蛍光体ペースト１０ｂに含まれる溶剤を吸収する前に、蛍光体ペースト１０ｂを乾燥して、図７（ｉ）に示すように、蛍光体層１０を形成する。
【００５１】
そして最後に図７（ｊ）に示すように、焼成を行うことによって、樹脂層５１を焼失させる。この焼成によって、樹脂層５１が占めていた領域は開口部１０ａとなる。
従って、形成された蛍光体層１０は開口部１０ａを備えた形状となる。すなわち、図６に示すように、背面基板２側（上述した構成では絶縁体層７）の表面の一部には蛍光体層１０が形成されていない。
【００５２】
開口部１０ａとデータ電極８との位置関係に関して、通常、データ電極８は隔壁９間の中央部を通過するように形成されるので、開口部１０ａとデータ電極８とが重なることによって開口部１０ａにおける可視光透過率が低下しやすいが、データ電極８を透明性材料で形成することによって、あるいはデータ電極８の線幅を狭くすることによって、開口部１０ａにおける可視光透過率の低下を低減することができる。
【００５３】
また、例えば図８に概略的に平面図で示すように、データ電極８の横方向位置を、開口部１０ａの中心線Ａからずらして、蛍光体層１０と重なる位置に設定すれば、開口部１０ａの開口度を高めることができるので、可視光透過率を向上させる上で好ましい。
【００５４】
なお、ＰＤＰの構成上、絶縁体層７は不可欠なものではなく、データ電極８が絶縁体層７で覆われていなくても良い。その場合、データ電極８の位置が開口部１０ａの位置と重なっていると放電空間に露出してしまうが、図８に示したようにデータ電極８の位置をずれして蛍光体層１０と重ねることによって、データ電極８が放電空間に露出するのを防止することができる。
【産業上の利用可能性】
【００５５】
以上のように本発明によれば、ＰＤＰにおいて透明ディスプレイを実現することが可能である。
【符号の説明】
【００５６】
８  データ電極
９  隔壁
１０  蛍光体層
１０ａ  開口部
１１  ＰＤＰ
２１  シャーシ部材
【図１】
2011228166.tif 000003
【図２】
2011228166.tif 000004
【図３】
2011228166.tif 000005
【図４】
2011228166.tif 000006
【図５】
2011228166.tif 000007
【図６】
2011228166.tif 000008
【図７】
2011228166.tif 000009
【図８】
2011228166.tif 000010